(57)【要約】【課題】運搬性に優れ、橋梁桁端部等の狭さく部における設置の作業性に優れ、陽極材がモルタル注入時にずれることのない電気防食用電極パネルを提供する。【解決手段】略四角形の合成樹脂製のパネル１の一面に、電流分配材２の配設間隔３をあけて複数のリブ４を突設し、これら複数のリブ４のうちの任意のリブ４に陽極材５を溶着して、この陽極材５を前記パネル１の一面に配設できるようにし、前記配設間隔３に配設した電流分配材２と、前記パネル１に配設した陽極材５とを電気接続できるようにしている。【選択図】図３
2015209587.tif 000002
【特許請求の範囲】
【請求項１】
略四角形の合成樹脂製のパネル（１）の一面に、電流分配材（２）の配設間隔（３）をあけて複数のリブ（４）を突設し、これら複数のリブ（４）のうちの任意のリブ（４）に陽極材（５）を溶着して、この陽極材（５）を前記パネル（１）の一面に配設できるようにし、前記配設間隔（３）に配設した電流分配材（２）と、前記パネル（１）に配設した陽極材（５）とを電気接続できるようにしたことを特徴とする電気防食用電極パネル。
【請求項２】
前記パネル（１）は射出発泡樹脂成形品としたことを特徴とする請求項１記載の電気防食用電極パネル。
【請求項３】
前記リブ（４）は平行間隔をあけて断続的に突設したものとしたことを特徴とする請求項１または２記載の電気防食用電極パネル。
【請求項４】
前記陽極材（５）は、網目状金属帯体とし、前記パネル（１）との間に空間（Ｓ）をあけて、このパネル（１）の一面に複数、配設できるようにしたことを特徴とする請求項１〜３の何れかに記載の電気防食用電極パネル。
【請求項５】
前記陽極材（５）は、網目状金属布体とし、前記パネル（１）との間に空間（Ｓ）をあけて、このパネル（１）の一面の全体に覆い被さるように、配設できるようにしたことを特徴とする請求項１〜３の何れかに記載の電気防食用電極パネル。
【請求項６】
前記パネル（１）は、上辺と一側辺のそれぞれの中央に位置決め用の凹部（６）を形成し、下辺ともう一側辺のそれぞれの中央に前記凹部（６）に嵌合する凸部（７）を形成したものとしたことを特徴とする請求項１〜５の何れかに記載の電気防食用電極パネル。
【請求項７】
前記パネル（１）は、上辺と一側辺のそれぞれの中央に位置決め用の凸部（７）を形成し、下辺ともう一側辺のそれぞれの中央に前記凸部（７）と嵌合する凹部（６）を形成したものとしたことを特徴とする請求項１〜５の何れかに記載の電気防食用電極パネル。
【請求項８】
前記パネル（１）は、パネル体（１ａ、１ｂ）の上下左右をずらして重ね合わせて接着したものとし、一方のパネル体（１ａ）に配設間隔（３）をあけたり、前記リブ（４）を形成したものとし、このパネル体（１ａ）の上辺を上方パネル連結タブ（１１ａ）とすると共に、パネル体（１ａ）の一側辺を側方パネル連結タブ（１１ｂ）とし、他方のパネル体（１ｂ）の下辺を下方パネル連結部（１１ｃ）とすると共に、このパネル体（１ｂ）の一側辺を側方パネル連結タブ（１１ｂ）としたことを特徴とする請求項１〜７の何れかに記載の電気防食用電極パネル。
【請求項９】
前記パネル（１）は、パネル体（１ａ、１ｂ）の上下左右をずらして重ね合わせた形状に一体成形したものとし、一方のパネル体（１ａ）に配設間隔（３）をあけたり、前記リブ（４）を形成したものとし、このパネル体（１ａ）の上辺を上方パネル連結タブ（１１ａ）とすると共に、パネル体（１ａ）の一側辺を側方パネル連結タブ（１１ｂ）とし、他方のパネル体（１ｂ）の下辺を下方パネル連結部（１１ｃ）とすると共に、このパネル体（１ｂ）の一側辺を側方パネル連結タブ（１１ｂ）としたことを特徴とする請求項１〜７の何れかに記載の電気防食用電極パネル。
【発明の詳細な説明】
【技術分野】
【０００１】
本発明は、既設の鉄筋コンクリート構造物の補修に好適な電気防食用電極パネルに関する。さらに詳しくは、既設の鉄筋コンクリート橋梁の桁端部等の狭隘部における補修工事において作業性に優れ、施工後に電極断線が発生しない電気防食用電極パネルに関する。
【背景技術】
【０００２】
鉄筋コンクリートは、鋼製の補強材とコンクリートの複合構造物であり、コンクリートの引張り弱さを鉄筋で補っている。このような鉄筋コンクリートは、鉄筋が腐食しない限り反永久的な構造物と考えられていた。
【０００３】
しかしながら、塩害に代表されるようにコンクリート中へ塩素イオンが浸入すると、コンクリート中の鋼材の腐食を進行させる。
【０００４】
このような塩害劣化は、海岸線にある構造物、干満帯にある構造物など飛来塩化物イオンの影響を受ける環境で顕著なものであった。しかしながら、現在、高速道路をはじめとする道路橋では、降雪による滑り防止を目的として凍結防止剤を散布することが一般的となった。このため、山間部の橋梁においても凍結防止剤から供給される塩化物イオンによって、塩害劣化が顕著となっている。
【０００５】
コンクリート中の鋼材は塩化物イオンなどの影響により、鋼材表面に形成されていた不働体被膜が破壊され、鉄が酸化する反応（アノード反応）と酸素が還元される反応（カソード反応）が生じる。このとき、アノード部とカソード部に電位差が生じて、カソード部からアノード部へとコンクリートを介して腐食電流が流れることで腐食が進行する。
【０００６】
コンクリート中の鋼材の腐食は、電気化学的反応によって進行することから、電気化学的防食工法をコンクリート構造物に適用して、コンクリートの劣化を防止する補修技術が提案されている。
【０００７】
電気防食工法は、コンクリート表面に設置した電極（陽極）から、コンクリート中の鉄筋に電流を流し続けることによって、コンクリート中に発生する腐食電流を消滅させることにより、鋼材腐食の進行を抑制することを目的とした工法である。
【０００８】
このような電気防食工法には、外部の電源から強制的に防食電流を流す外部電源方式と、内部鋼材の電池作用により防食電流を流す流電陽極方式とに大別される。外部電源方式は、使用する陽極材の種類によって面状陽極、線状陽極、点状陽極に分類される。
【０００９】
劣化が進行している既設の鉄筋コンクリート構造物を補修する方法としては、リチウム塩を主成分とする表面処理材を、電極、特にチタンメッシュ等の陽極設置前に、コンクリート表面にあらかじめ均一に塗布することにより、電極、特にチタンメッシュ等の面状陽極とコンクリートとの間の保水性を向上させ、これにより通電性をコンクリート表面全体にわたり上昇させる方法が提案されている（特許文献１）。
【００１０】
また、鉄筋の膨張収縮による陽極電極の破壊断線を防ぐために、電極としてエキスパンドメタル形状のものを用いる方法も提案されている（特許文献２）。
【００１１】
さらに、補修用モルタルとしてカーボン繊維、低腐食性金属繊維等の導電性充填材を添加した導電性モルタルを用いる工法も提案されている（特許文献３）。
【００１２】
特に橋梁桁端部等の狭隘部における補修工事用としては、樹脂製ハニカムボードに樹脂製モールド内にチタンリボンメッシュ陽極を接地した陽極材を接合した軽量な陽極パネルが知られている。補修工事においては、補修部分のかぶりのハツリを行い、鉄筋むき出し部分と樹脂製陽極パネルの間の空間にポリマーセメントモルタルを注入する。この樹脂製陽極パネルは分割することで運搬、設置の作業が容易になる（非特許文献１）。
【先行技術文献】
【特許文献】
【００１３】
【特許文献１】特開２００６ー２３２５５９公報
【特許文献２】特開２０１０−１３８６８６公報
【特許文献３】特開２００６−２４８７９２公報
【非特許文献１】土木学会第６７回年次学術講演会要旨集（p155−156)
【発明の概要】
【発明が解決しようとする課題】
【００１４】
しかしながら、上記従来の非特許文献１に記載された樹脂製陽極パネルは、樹脂製ハニカムボードと樹脂製モールドの接合強度が弱いことから、ポリマーセメントモルタル注入時やポリマーセメントモルタルの固化時に陽極材が脱離し、陽極が断線するという問題があった。
【００１５】
そこで、本発明は、上記従来の問題点を解決すると共に、軽量なものにすることにより、運搬性に優れ、橋梁桁端部等の狭隘部における設置の作業性に優れ、陽極材の接合強度を強くすることにより、この陽極材がモルタル注入時にずれることのない電気防食用電極パネルを提供することを目的としてなされたものである。
【課題を解決するための手段】
【００１６】
そのため、本発明の電気防食用電極パネルは、略四角形の合成樹脂製のパネル１の一面に、電流分配材２の配設間隔３をあけて複数のリブ４を突設し、これら複数のリブ４のうちの任意のリブ４に陽極材５を溶着して、この陽極材５を前記パネル１の一面に配設できるようにし、前記配設間隔３に配設した電流分配材２と、前記パネル１に配設した陽極材５とを電気接続できるようにしている。
【００１７】
そして、本発明の電気防食用電極パネルにおいて、前記パネル１は射出発泡樹脂成形品としている。
【００１８】
さらに、本発明の電気防食用電極パネルにおいて、前記リブ４は平行間隔をあけて断続的に突設したものとしている。
【００１９】
また、本発明の電気防食用電極パネルにおいて、前記陽極材５は、網目状金属帯体とし、前記パネル１との間に空間Ｓをあけて、このパネル１の一面に複数、配設できるようにしている。
【００２０】
さらに、本発明の電気防食用電極パネルにおいて、前記陽極材５は、網目状金属布体とし、前記パネル１との間に空間Ｓをあけて、このパネル１の一面の全体に覆い被さるように、配設できるようにしている。
【００２１】
そして、本発明の電気防食用電極パネルにおいて、前記パネル１は、上辺と一側辺のそれぞれの中央に位置決め用の凹部６を形成し、下辺ともう一側辺のそれぞれの中央に前記凹部６に嵌合する凸部７を形成したものとしている。
【００２２】
さらに、本発明の電気防食用電極パネルにおいて、前記パネル１は、上辺と一側辺のそれぞれの中央に位置決め用の凸部７を形成し、下辺ともう一側辺のそれぞれの中央に前記凸部７と嵌合する凹部６を形成したものとしている。
【００２３】
また、本発明の電気防食用電極パネルにおいて、前記パネル１は、パネル体１ａ、１ｂの上下左右をずらして重ね合わせて接着したものとし、一方のパネル体１ａに配設間隔３をあけたり、前記リブ４を形成したものとし、このパネル体１ａの上辺を上方パネル連結タブ１１ａとすると共に、パネル体１ａの一側辺を側方パネル連結タブ１１ｂとし、他方のパネル体１ｂの下辺を下方パネル連結部１１ｃとすると共に、このパネル体１ｂの一側辺を側方パネル連結タブ１１ｂとしている。
【００２４】
さらに、本発明の電気防食用電極パネルにおいて、前記パネル１は、パネル体１ａ、１ｂの上下左右をずらして重ね合わせた形状に一体成形したものとし、一方のパネル体１ａに配設間隔３をあけたり、前記リブ４を形成したものとし、このパネル体１ａの上辺を上方パネル連結タブ１１ａとすると共に、パネル体１ａの一側辺を側方パネル連結タブ１１ｂとし、他方のパネル体１ｂの下辺を下方パネル連結部１１ｃとすると共に、このパネル体１ｂの一側辺を側方パネル連結タブ１１ｂとしている。
【発明の効果】
【００２５】
本発明の電気防食用電極パネルは、以上に述べたような構成としているので、パネルから陽極材が離脱しにくいものとなり、陽極材が断線するという問題がなくなり、しかもパネルが軽量なものとなり、運搬性に優れると共に、橋梁桁端部等の狭さく部における設置の作業性に優れ、さらに陽極材の接合強度が強くなり、この陽極材がモルタル注入時にずれることのないものとなる。
【図面の簡単な説明】
【００２６】
【図１】本発明の電気防食用電極パネルの一面側から見た斜視図である。
【図２】本発明の電気防食用電極パネルのもう一面側から見た斜視図である。
【図３】本発明の電気防食用電極パネルに陽極材および電流分配材を配設した状態の一例を示す平面図である。
【図４】本発明の電気防食用電極パネルに陽極材および電流分配材を配設した状態の他の例を示す平面図である。
【図５】図３中のＡ−Ａ線による本発明の電気防食用電極パネルの断面図である。
【図６】図４中のＢ−Ｂ線による本発明の電気防食用電極パネルの断面図である。
【図７】本発明の電気防食用電極パネルを複数枚連結した状態を示す斜視図である。
【図８】図７に示した本発明の電気防食用電極パネルに陽極材および電流分配材を配設した状態の一例を示す斜視図である。
【図９】図７に示した本発明の電気防食用電極パネルに陽極材および電流分配材を配設した状態の他の例を示す斜視図である。
【図１０】本発明の電気防食用電極パネルを鉄筋コンクリート橋梁の電気防食工法に用いる工程を示す説明図である。
【発明を実施するための形態】
【００２７】
以下、本発明の電気防食用電極パネルを実施するための形態を、図面に基づいて詳細に説明する。
【００２８】
本発明の電気防食用電極パネルは、図１〜６に示したように、略四角形の合成樹脂製のパネル１の一面に、電流分配材２の配設間隔３をあけて複数のリブ４を突設し、これら複数のリブ４のうちの任意のリブ４に陽極材５を溶着して、この陽極材５を前記パネル１の一面に配設できるようにしている。そして、前記配設間隔３に配設した電流分配材２と、前記パネル１に配設した陽極材５とを電気接続できるようにしている。
【００２９】
前記パネル１は、継ぎはぎなしの一枚物にしてもよいが、図７〜９に示したように、継ぎはいで（複数枚を連結して）一枚物にしてもよい。前記パネル１は、一辺を１０〜１８０ｃｍにし、厚さを０. ２〜５ｃｍにし、複数枚を連結して所望の寸法とした一枚物にすることができる。
【００３０】
前記パネル１のもう一面は、平面にしているが、パネル１の剛性を高めるために格子状のリブや三次元凹凸形状（図示せず）にしたものとしてもよい。このような形状にすることにより、単位面積当たりの重量を低く抑えながらパネル１の剛性を高めることが可能になる。
【００３１】
前記パネル１を構成する合成樹脂は、成形性、耐加水分解性、耐候安定性に優れているものを使用するのが好ましく、比重やコストを考慮すると、ポリエチレン、ポリプロピレン、ポリスチレン、ＡＢＳ樹脂、ポリ塩化ビニル（硬質）等を使用するのが好ましい。
【００３２】
前記パネル１は、射出成形品とするのが好ましいが、特に射出成形品に限定されるものではない。本発明でいう射出成形品とは、熱可塑性樹脂の原料を可塑化溶融させ、金型内の閉じられた空間内に射出充填して、冷却固化させてから金型を開いて取り出した成形品であり、熱可塑性樹脂の可塑化方法、射出充填方法、金型の開閉の方法の種類は問わない。
【００３３】
さらに、前記パネル１は、軽量化のために、射出発泡樹脂成形品とするのが好ましい。射出発泡樹脂成形品としたパネル１は、実質的に気泡が存在しない表層部分と気泡が存在する発泡コア層より形成される。気泡を形成させるための発泡剤は化学発泡剤でも物理発泡剤でもよく、物理発泡剤を熱可塑性樹脂のカプセルで被覆したマイクロカプセルでもよい。物理発泡剤を用いる成形例としては、超臨界状態の二酸化炭素や窒素を樹脂と混ぜ合わせることで、微細な発泡状態（発泡セル径は０. ５〜１００μｍ）の合成樹脂を成形するミューセル成形が挙げられる。ミューセル成形は、短時間で軽量な成形品が得られると共に、成形品のそり、変形が著しく低減できる等の特徴を有している。
【００３４】
前記電流分配材２としては、チタン、銅等の金属帯状体を使用することができ、寸法は、幅を５〜１５ｍｍ程度とし、厚さを０. ５  〜１. ５ｍｍ程度としており、前記陽極材５に溶接したり、圧接したりして電気接続するようにしている。前記陽極材５として後に述べるように網目状金属を使用した場合には、この陽極材５と電流分配材２とをスポット溶接することにより、容易に電気接続することができる。
【００３５】
前記リブ４は、平行間隔をあけて断続的に突設したものとしており、配設する陽極材５の寸法にもよるが、厚さを１〜５ｍｍ、好ましくは２〜３ｍｍ、高さを５〜１５ｍｍ、好ましくは６〜８ｍｍ、長さを２０〜１００ｍｍ、好ましくは３０〜５０ｍｍにしており、隣り合うリブ２どうしの平行間隔を２０〜１００ｍｍ、好ましくは４０〜６０ｍｍにしており、電流分配材２の配設間隔３は、配設する電流分配材５の寸法にもよるが、１０〜９０ｍｍ、好ましくは３０〜５０ｍｍにしている。
【００３６】
前記陽極材５としては、チタンリボンメッシュ等の網目状金属帯体や、チタンメッシュシート等の網目状金属布体を使用することができる。前記網目状金属帯体とした場合の陽極材５の寸法は、幅を５〜１５ｍｍとし、厚さを０. ５  〜１. ５ｍｍとし、網目の間隔を１〜５ｍｍとしており、前記リブ４のうちの任意のリブ４の頂部に溶着して、前記パネル１の一面の縦方向または横方向に、前記パネル１との間に空間Ｓをあけて、複数、配設できるようにしている。また、前記網目状金属布体とした場合の陽極材５の寸法は、前記パネル１の一面の全体を被覆可能な大きさにしており、網目の間隔を２０〜１００ｍｍとしており、前記パネル１の一面の全体に、前記パネル１との間に空間Ｓをあけて、覆い被さるようにして配設できるようにしている。前記陽極材５を網目状金属とすることにより、陽極の表面積を増加させることができ、さらに軽量で柔軟性に富むものとなって曲げ加工等が容易となり、施工性にも優れたものとなる。なお、前記陽極材５と前記パネル１との間に空間Ｓをあけることにより、後に述べるように、この空間Ｓに橋梁の桁端部等の間に流し込むモルタルが流れ込み、そのモルタルにパネル１が食い付き易くなる。そして、前記空間Ｓに流れ込んだモルタルが固まると、パネル１は橋梁の桁端部等からずれにくく、剥離しにくいものとなる。
【００３７】
また、前記パネル１は、複数枚を連結して一枚物にする場合には、上辺と一側辺のそれぞれの中央に位置決め用の凹部６を形成し、下辺ともう一側辺のそれぞれの中央に前記凹部６に嵌合する凸部７を形成したもの（図１参照）としたり、上辺と一側辺のそれぞれの中央に位置決め用の凸部７を形成し、下辺ともう一側辺のそれぞれの中央に前記凸部７と嵌合する凹部６を形成したもの（図示せず）とすることができる。なお、前記凹部６や凸部７は、互いに嵌合できればよくその形状や大きさは特に問わない。
【００３８】
さらに、前記パネル１は、複数枚を連結して一枚物にする場合には、パネル体１ａ、１ｂの上下左右をずらして重ね合わせて接着したり、パネル体１ａ、１ｂの上下左右をずらして重ね合わせた形状に一体成形したものとし、一方のパネル体１ａに配設間隔３をあけたり、前記リブ４を形成したものとし、このパネル体１ａの上辺を上方パネル連結タブ１１ａとすると共に、パネル体１ａの一側辺を側方パネル連結タブ１１ｂとし、他方のパネル体１ｂの下辺を下方パネル連結部１１ｃとすると共に、このパネル体１ｂの一側辺を側方パネル連結タブ１１ｂとしている（図１〜４参照）。
【００３９】
なお、前記パネル１は、複数枚を連結して一枚物にする場合には、同様にパネル体１ａ、１ｂの上下左右をずらして重ね合わせて接着したり、パネル体１ａ、１ｂの上下左右をずらして重ね合わせた形状に一体成形したものとし、一方のパネル体１ａに配設間隔３をあけたり、前記リブ４を形成したものとし、このパネル体１ａの下辺を下方パネル連結タブ１１ｃとすると共に、パネル体１ａの一側辺を側方パネル連結タブ１１ｂとし、他方のパネル体１ｂの上辺を上方パネル連結タブ１１ａとすると共に、このパネル体１ｂの一側辺を側方パネル連結タブ１１ｂとしてもよい（図示せず）。
【００４０】
前記パネル１の上下方パネル連結タブ１１ａ、１１ｃおよび側方パネル連結タブ１１ｂは、幅を１０〜３０ｃｍにしており、長さを１０〜１８０ｃｍにしており、複数枚のパネル１のそれぞれの上方パネル連結タブ１１ａと下方パネル連結タブ１１ｃ、側方パネル連結タブ１１ｂどうしを瞬間接着剤やビスで止着することにより、これら複数枚のパネル１を連結して一枚物にすることができる。
【００４１】
また、前記一方のパネル体１ａの上方パネル連結タブ１１ａおよび側方パネル連結タブ１１ｂには、それぞれ長さ方向に凸条１２ａを形成し、前記他方のパネル体１ｂの下方パネル連結タブ１１ｃおよび側方パネル連結タブ１１ｂには、前記凸条１２ａがそれぞれ嵌合する凹条１２ｂを形成したもの（図１〜４参照）としたり、前記一方のパネル体１ａの上方パネル連結タブ１１ａおよび側方パネル連結タブ１１ｂには、それぞれ長さ方向に凹条１２ｂを形成し、前記他方のパネル体１ｂの下方パネル連結タブ１１ｃおよび側方パネル連結タブ１１ｂには、前記凹条１２ｂにそれぞれ嵌合する凸条１２ａを形成したもの（図示せず）とすることができる。このようにしたものでは、複数枚のパネル１を連結して一枚物にする場合に、複数枚のパネル１のそれぞれの上方パネル連結タブ１１ａと下方パネル連結タブ１１ｂ、側方パネル連結タブ１１ｂどうしを止着するときに、凹条１２ｂに接着剤を流し込み、この接着剤を流し込んだ凹条１２ｂに凸条１２ａを嵌合させれば、パネル１どうしの位置決めが簡単となると共に、パネル１どうしを堅固に止着しておくことができる。
【００４２】
このように構成された本発明の電気防食用電極パネルは、新設の鉄筋コンクリート構造物の施工時の電気防食工法に用いられたり、既設の鉄筋コンクリート構造物の補修時の電気防食工法に用いられるが、この補修時の電気防食工法に用いられる場合には、次のようにして行われる。
【００４３】
本発明の電気防食用電極パネルを、前記電気防食工法に用いるに当たり、図７に示したように、既設の鉄筋コンクリート構造物である鉄筋コンクリート橋梁の桁端部の断面形状に合わせて、例えば横３枚、縦４枚の計１２枚を連結して一枚物にする。
【００４４】
そして、一枚物にした前記電気防食用電極パネルにおいて、パネル１の複数のリブ４のうちの任意のリブ４に陽極材５を溶着して、この陽極材５を前記パネル１の一面に配設する。前記陽極材５を網目状金属帯体とした場合には、図８に示したように、パネル１の一面の縦方向に、このパネル１との間に空間Ｓをあけて、複数、配設する。また、前記陽極材５を網目状金属布体とした場合には、図９に示したように、パネル１の一面の全体に、前記パネル１との間に空間Ｓをあけて、覆い被さるように配設する。そして、何れの場合も、前記パネル１の配設間隔３において、前記陽極材５とパネル１との間の空間Ｓに電流分配材２を配設し、これら陽極材５と電流分配材２とをスポット溶接することにより、電気接続する。前記陽極材５と電流分配材２とをスポット溶接するには、例えばパネル１上に耐熱板（図示せず）を敷き、前記陽極材５と電流分配材２とが交差するようにして重なった個所のうちの任意の個所にスポット溶接した後、前記耐熱板を取り除けばよい。
【００４５】
このようにした本発明の電気防食用電極パネルは、図１０（ａ）〜（ｄ）に示したように、既設の鉄筋コンクリート構造物の補修時の電気防食工法に用いられる。
【００４６】
先ず、図１０（ａ）に示したように、鉄筋コンクリート橋梁２１の桁端部２２の伸縮装置２３を撤去すると共に、対向する桁端部２２の劣化部２２ａを除去し、鉄筋２４の先端部を露出させる。
【００４７】
次に、図１０（ｂ）に示したように、前記桁端部２２の下方にそれぞれ支持枠２５を配設し、これら支持枠２５に前記パネル１を対向させるようにして立設する。
【００４８】
さらに、図１０（ｃ）に示したように、劣化部２２ａを除去した桁端部２２とパネル１の間にモルタル２６を流し込んで固化させることにより、前記桁端部２２にパネル１を設置する。
【００４９】
そして、図１０（ｄ）に示したように、電源装置２７から前記パネル１の電流分配材２に導線２８を配線してから、前記伸縮装置２３を復旧させればよい。なお、前記対向させたパネル１間には、必要に応じて適当な目地材（図示せず）を詰め込んでおくことができる。
【００５０】
以上のように構成された本発明の電気防食用電極パネルは、パネル１の複数のリブ４のうちの任意のリブ４に陽極材５を溶着して、この陽極材５を前記パネル１の一面に配設することができ、さらにこのパネル１の配設間隔３において、前記陽極材５との間の空間Ｓに電流分配材２を配設し、これら陽極材５と電流分配材２とをスポット溶接するなどして、電気接続することができるので、電流分配材２および陽極材５をパネル１に容易に、しかも離脱しにくく配設することができるものとなり、陽極材５が断線しにくいものとなる。
【００５１】
さらに、本発明の電気防食用電極パネルは、パネル１を射出発泡樹脂成形品とすることにより軽量なものとなり、運搬性に優れたものになると共に、橋梁桁端部等の狭さく部における設置の作業性に優れたものとなる。
また、本発明の電気防食用電極パネルは、前記パネル１と陽極材５との間の空間Ｓに橋梁の桁端部等の間に流し込むモルタルが流れ込み、そのモルタルにパネル１が食い付き易くなり、そして前記空間Ｓに流れ込んだモルタルが固まると、パネル１は橋梁の桁端部等からずれにくく、剥離しにくいものとなる。
【符号の説明】
【００５２】
１  パネル
１ａ  パネル体
１ｂ  パネル体
２  電流分配材
３  配設間隔
４  リブ
５  陽極材
６  凹部
７  凸部
１１ａ  上方パネル連結タブ
１１ｂ  側方パネル連結タブ
１１ｃ  下方パネル連結タブ
Ｓ  空間
【図１】
2015209587.tif 000003
【図２】
2015209587.tif 000004
【図３】
2015209587.tif 000005
【図４】
2015209587.tif 000006
【図５】
2015209587.tif 000007
【図６】
2015209587.tif 000008
【図７】
2015209587.tif 000009
【図８】
2015209587.tif 000010
【図９】
2015209587.tif 000011
【図１０】
2015209587.tif 000012